(57)【要約】【課題】  損失の種類ごとに原因を判定し、即座に行動を起こし、顧客に通知し、文書化し、受け取った機器の欠陥の解決をはかる手段を提供する。【解決手段】  受領検査報告（ＲＩＲ）を実行するシステム（４０）により、ＲＩＲデータの修正、検索及び報告が可能になる。ＲＩＲデータはデータベース（４４）に格納され、欠陥及びその他の問題の追跡及び解析を容易にするためにオンラインでアクセス可能である。問題のＲＩＲ追跡及び解析を実行するために、検索及びカスタム報告書が生成されても良い。欠陥のロギング及び追跡により、データベース（４４）に格納されているＲＩＲデータを使用して根本的原因を解析し、ＲＩＲ解決プロセスを改善することができる。【選択図】 図１
2004288154.tif 000002
【特許請求の範囲】
【請求項１】
受領検査報告プロセスを実行する方法において、
ウェブベース受領検査報告システムを介して受領検査報告データを受信することと、
前記ウェブベース受領検査報告システムを使用してアクセスされるように構成されている、受信された受領検査報告データをデータベースに格納することから成る方法。
【請求項２】
更新された受領検査報告データを受信したときに、格納されている受領検査報告データを自動的に更新することを更に含む請求項１記載の方法。
【請求項３】
受領検査報告データは商品の発送に関する１つ以上の欠陥又は損失に関連する情報を含む請求項１記載の方法。
【請求項４】
前記データベースに格納するために受領検査報告データを入力する過程を更に含む請求項１記載の方法。
【請求項５】
受領検査報告プロセスを実行する方法において、
受領検査報告データベースに格納され、ユーザによりウェブベース受領検査報告システムを介してアクセスされるように構成されている格納された受領検査報告データをアクセスすることと、
前記ウェブベース受領検査報告システムを使用して格納されている受領検査報告データを修正し、前記受領検査報告データベースの受領検査報告データはその修正に基づいて更新されることから成る方法。
【請求項６】
修正する過程は、前記ウェブベース受領検査報告システムの一部として提供される複数の所定のデータエントリフィールドを使用して、追加受領検査報告データを入力することから成る請求項５記載の方法。
【請求項７】
修正する過程は、前記ウェブベース受領検査報告システムの一部として提供される複数の所定のデータエントリフィールドを使用して、新たな受領検査報告データを入力することから成る請求項５記載の方法。
【請求項８】
受領検査報告データは受領検査報告発送情報、受領検査報告ログ情報、受領検査報告欠陥情報、受領検査報告損失情報及び受領検査報告通信情報のうちの少なくとも１つを含む請求項５記載の方法。
【請求項９】
受領検査報告プロセスを実行する方法において、
受領検査報告データベースに格納され、ウェブベース受領検査報告システムを使用してアクセスされるように構成されている格納された受領検査報告データをアクセスすることと、
前記ウェブベース受領検査報告システムを使用して入力されるユーザ定義検索基準に基づいて格納されている受領検査報告データを検索することと、
ユーザ定義検索基準を満たす受領検査報告データを出力することから成る方法。
【請求項１０】
前記ウェブベース受領検査報告システムは、検索時に使用するための所定の欠陥コードのリストを提供するように構成されている請求項９記載の方法。
【請求項１１】
格納されている受領検査報告データを検索するための検索パラメータを定義するために、以前の検索報告からの検索基準を使用することを更に含む請求項９記載の方法。
【請求項１２】
ユーザ定義検索基準に基づいて、受領検査報告報告書を出力のために生成することを更に含む請求項９記載の方法。
【請求項１３】
生成する過程は、ユーザ定義検索基準に基づいて出力のために受領検査報告書を自動的に生成することを含み、その報告書を電子的に送信することを更に含む請求項１２記載の方法。
【請求項１４】
検索は所定の検索基準のセットのうちの少なくとも１つの検索基準に基づいて実行される請求項９記載の方法。
【請求項１５】
受領検査報告データは受領検査報告発送情報、受領検査報告ログ情報、受領検査報告欠陥情報、受領検査報告損失情報及び受領検査報告通信情報のうちの少なくとも１つを含む請求項９記載の方法。
【請求項１６】
格納されている受領検査報告データは所定のカテゴリに基づいて分類されている請求項９記載の方法。
【請求項１７】
受領検査報告追跡を実行するシステム（４０）において、
受領検査報告データを格納するデータベース（４４）と、
ウェブベース受領検査報告ユーザ入力を介して受領検査報告データに対するアクセスを可能にするように構成され、受領検査報告データをアクセスするためのインタフェース（４２）とを具備するシステム（４０）。
【請求項１８】
ウェブベース受領検査報告ユーザ入力は、前記データベース（４４）に格納されている受領検査報告データの検索を定義するための所定の検索フィールドを提供するように構成されている請求項１７記載のシステム（４０）。
【請求項１９】
前記インタフェース（４２）は、ユーザ定義検索に基づいて受領検査報告報告書を生成するように構成されている請求項１８記載のシステム（４０）。
【請求項２０】
前記インタフェース（４２）は、ユーザ修正に基づいて前記データベース（４４）中の受領検査報告データを自動的に更新するように構成されている請求項１７記載のシステム（４０）。
【発明の詳細な説明】
【技術分野】
【０００１】
本発明は一般に受領検査報告及び追跡を実行するシステムに関する。
【背景技術】
【０００２】
大型プロジェクト、特に大型建設プロジェクト（例えば、原子力発電所建設プロジェクト）は、例えば、様々に異なる供給業者や請け負い業者を含む数多くの関係者の調整を必要とする場合が多い。特に、この種のプロジェクトの場合、世界中の至るところに拠点を有すると思われる多数の供給業者により製造された組立済み機器をプロジェクトの現場まで発送することが必要である。更に、発送は長い期間にわたり（例えば、何年間にもわたって）行われ、場合によってはプロジェクト開始の時点に先立って発送が行われることもありうる。
【発明の開示】
【発明が解決しようとする課題】
【０００３】
原子力発電所を建設する場合、機器及び補給品は数多くの異なる供給業者から発送され、全ての機器は連邦政府コード（例えば、ＮＲＣ）及び国際コード（例えば、ＲＯＣ−ＡＥＣ）ごとに、また、厳格な原子力規格、ＡＳＭＥ規格及び軍規格に従って組み立てられ且つ梱包されなければならない。それらの規格は、全ての請け負い業者及び供給業者が従わなければならず且つ顧客、取り締まり責任者及び個人の監査を受ける手続き（例えば、ＧＬＰ）に指定されている。
【０００４】
更に、機器、計装及び動作システム（「パッケージ」とも呼ばれる）は、例えば、原子力発電所を建設するときに使用されるべき安全システムを含めて、非常に複雑である場合が多い。設置に先立って各々のパッケージの品質と関連するあらゆる問題点を追跡し、注視し、解決するための手続きが確定されている。例えば、機器の発送前、発送中又は発送後に起こった何らかの種類の損失を伴って機器が建設現場に到着することも考えられる。それらの問題は梱包の損失、機器の損失、部品の損失（例えば、密封材の欠落又は破裂）、水による損失又は錆、品質文書パッケージの紛失、Ｏ＆Ｍマニュアルの紛失又は部品の紛失などを含むであろう。この損失は梱包及び発送過程のいずれかの時点で起こると思われる。損失の種類ごとに原因を判定し、即座に行動を起こし、顧客に通知し、文書化し、受け取った機器の欠陥の解決をはかる手段を提供することが重要である。そのような措置を取らなければ、遅延や追加費用が生じてしまうであろう。
【課題を解決するための手段】
【０００５】
本発明は、数多くの関係者を含むプロジェクトを管理することに関与するイベント及びインタラクションを追跡するためのオンラインプロセスを有する受領検査報告（ＲＩＲ）システムを提供する。特に、アクセス及び解析のために損失情報及びその他の情報（例えば、紛失部品）を格納するデータベースシステムが提供される。情報は、通常、ＲＩＲ報告書の形態をとっている。本発明のＲＩＲシステムを使用することにより、問題を早期に解決でき、将来の他のプロジェクトに向けた方策を設定することができる。
【０００６】
本発明の一実施例では、受領検査報告プロセスを実行する方法は、ウェブベース受領検査報告システムを介して受領検査報告データを受信することと、受信された受領検査報告データをデータベースに格納することを含む。受領検査報告データは、ウェブベース受領検査報告システムを使用してアクセスされるように構成されている。受領検査報告データは、商品の発送に関する欠陥又は損失のうちの１つに関連する情報を含んでいても良い。
【０００７】
本発明の別の実施例では、受領検査報告プロセスを実行する方法は、受領検査報告データベースに格納され、ウェブベース受領検査報告システムを介してユーザによりアクセスされるように構成されている格納された受領検査報告データをアクセスすることと、ウェブベース受領検査報告システムを使用して格納されている受領検査報告データを修正することを含む。受領検査報告データベース中の受領検査報告データはその修正に基づいて更新される。修正する過程は、ウェブベース受領検査報告システムの一部として提供される複数の所定のデータエントリフィールドを使用して追加受領検査報告データ及び／又は新たな受領検査報告データを入力することを含んでいても良い。
【０００８】
本発明の更に別の実施例では、受領検査報告プロセスを実行する方法は、受領検査報告データベースに格納され、ウェブベース受領検査報告システムを使用してアクセスされるように構成されている格納された受領検査報告データをアクセスすることと、ウェブベース受領検査報告システムを使用して入力されたユーザ定義検索基準に基づいて格納されている受領検査報告データを検索することと、ユーザ定義検索基準を満たす受領検査報告データを出力することを含む。ウェブベース受領検査報告システムは、検索時に使用するための所定の欠陥コードのリストを提供するように構成されていても良い。更に、方法は、ユーザ定義検索基準に基づいて出力のために受領検査報告報告書を生成することを含んでいても良い。
【０００９】
本発明の更に別の実施例では、受領検査報告追跡を実行するシステムは、受領検査報告データを格納するデータベースと、受領検査報告データをアクセスするためのインタフェースとを含む。インタフェースは、ウェブベース受領検査報告ユーザ入力を介して受領検査報告データに対してアクセスを実行するように構成されている。更に、ウェブベース受領検査報告ユーザ入力は、データベースに格納されている受領検査報告データの検索を定義するための所定の検索フィールドを提供するように構成されていても良い。インタフェースは、ユーザ定義検索に基づいて受領検査報告報告書を生成するように構成されていても良い。
【００１０】
本発明は、以下の詳細な説明及び添付の図面から更に完全に理解されるであろう。
【発明を実施するための最良の形態】
【００１１】
以下の好ましい実施例の説明は、その性質上、単なる例示であり、本発明、その適用及び使用方法を制限することを全く意図されていない。特定の構成部品及びプロセスを使用して受領検査報告（ＲＩＲ）データ及び関連データを収集し、格納することに関連して本発明を説明するが、本発明はそれに限定されず、異なる構成部品及びプロセス、又は更に別の構成部品及びプロセスを使用して、異なるデータ又は追加データが収集され、格納されても良い。
【００１２】
ここでページと言うときには、それはコンピュータ、ネットワーク端末、あるいは表示装置を有し、電子コンテンツを表示することが可能である他の何らかの装置の画面に配列されるコンテンツを表す。更に、ここでＲＩＲデータと言うときには、それはＲＩＲプロセスに関連するありとあらゆるデータ又は情報を表し、例えば、機器記述情報；供給業者、梱包業者、発送業者及び検査責任者のＩＤ；取り扱い及び発送経路指定のデータ；供給、輸送及び保管の様々な段階における条件及び所見；機器で認められた欠陥；発送、取り扱い及び保管に関連して認められた、欠陥の発生又は軽減に影響を及ぼすと思われる条件；発送の責任を負う担当者などを含むであろう。
【００１３】
本発明は、一実施例において、発送品パッケージの製造、その発送のスケジュール、プロジェクト現場による受け取り、通知の文書化及び全ての不適合（例えば、ＲＩＲ）の解決をネットワーク利用システムを使用して調整するためのシステム及び方法を提供する。システムは、一般に、データベースに接続されたネットワークサーバを含み、ＲＩＲ情報を収集し、維持するためのトラッカインタフェースを有する。システムは、ＲＩＲを相互参照し、データベースを更新し、関心あるパッケージ又は発送品について責任を負う個人又はエンティティに連絡をとり、問い合わせ（すなわち、検索）に応答して情報を提供する。
【００１４】
ＲＩＲ追跡及び解析を含めて、ＲＩＲプロセスを実行するシステムの本発明のシステムを説明する前に、本発明を関連して実現できるプロジェクト（例えば、原子力発電所建設プロジェクト）に関する発送及びＲＩＲ報告プロセスの一例を説明する。図１を参照すると、発送及びＲＩＲ報告プロセス２０の一例において、例えば、機器、計装、動作システム、制御装置などを含む発送品は２２で梱包される。尚、プロジェクトの期間を通して、数多くの異なる売り主や供給業者がそれらの梱包発送品を提供することに注意すべきである。梱包された発送品は、その後、２４で輸送され、２６で荷卸しされ、検査される。検査は建設現場又は他のいずれかの場所（例えば、荷受けドック）で行われれば良い。
【００１５】
検査が実行された後、例えば、発送された部品の損失及び部品又は文書の紛失を含む、発送に関する特定の問題を記載したＲＩＲが発行される。その後、３０でそれらのＲＩＲは送信され且つ／又はＲＩＲに基づいて報告書が生成されるが、これは、報告書が発行され、承認された後、最終的な報告がなされる前に再検討及び承認を行うために他の部門へ転送されるマルチレイヤプロセスを含んでいても良い。例えば、プロセスは内部報告書のみならず、政府規格又は報告要件により要求される外部報告書も含んでいて良い。その後、報告書及びＲＩＲ情報は、問題及び／又は欠陥を解決するために使用されるが、これは将来における品質改良（例えば、新たな梱包手順）をもたらすための試みを含んでいても良い。
【００１６】
発送及びＲＩＲ報告プロセス２０の一例を説明したので、次に、ＲＩＲ追跡及び解析に使用する場合を含めて、ＲＩＲプロセスを実行するためのシステムを説明する。特に、図２に示すように、ＲＩＲ情報（例えば、ＲＩＲ報告書）の追跡を含めてＲＩＲプロセスを実行するシステムはその全体を図中符号４０により示されている。システム４０は、ＲＩＲデータ（例えば、ＲＩＲ報告書）を受信し、受信したＲＩＲデータをデータベース４４に格納するＲＩＲトラッカインタフェース４２を含む。ＲＩＲトラッカインタフェースはオンラインで提供されても良く、ＲＩＲデータの電子入力、格納されているデータの電子検索及びＲＩＲデータに関連する分類情報を提供するＲＩＲ報告書の電子生成を可能にするように、ネットワークサーバ４６又は他のシステムに接続されている。この後、ＲＩＲデータは、例えば、コンピュータ４５を使用してイントラネット４１を介して内部でアクセスされても良いし、あるいは、例えば、コンピュータ４７を使用してインターネット４３を介して外部からアクセスされても良い。
【００１７】
ＲＩＲトラッカインタフェース４２はデータベース４４と組み合わされて、将来のアクセス及び解析を可能にするように格納され且つ構成（すなわち、編成）されているＲＩＲデータの追跡を実行する。より特定すれば、ＲＩＲトラッカインタフェース４２は、欠陥をカテゴリ別に分類し、後のアクセスを容易にするフィルタシステムを提供する。更に、例えば、特定の欠陥データの検索を含めて、アクセスを容易にするために、様々に異なる欠陥のカテゴリに対して欠陥コードを割り当てても良い。
【００１８】
具体的には、データベース４４中に格納されているＲＩＲデータは物理的カテゴリと、文書カテゴリという２つの主なカテゴリに分類される。それらの欠陥カテゴリの各々において、欠陥サブカテゴリが設けられており、例えば、物理的カテゴリの中には機械的サブカテゴリ及び電気的サブカテゴリがあり、文書カテゴリの中には操作保守（Ｏ＆Ｍ）サブカテゴリ、品質記録パッケージ（ＱＲＰ）サブカテゴリ及び発送文書サブカテゴリがある。データに対するアクセス及びデータの解析を容易にするために、カテゴリに分類された欠陥に基づいて、欠陥コードを更に割り当て、データベース４４中のＲＩＲデータと共に格納しても良い。欠陥の識別及び標準化を更に容易にするために、欠陥コードに関する所定の記述のリストが提供されても良い。例えば、一般に起こる欠陥は１つの欠陥コードと、それに付随する簡潔な欠陥の記述により識別されても良い（例えば、腐食）。
【００１９】
次に図３から図８を参照して説明すると、ＲＩＲトラッカインタフェース４２はＲＩＲデータの入力、修正、検索、報告及び追跡を可能にする。更に、ＲＩＲデータの解析は、例えば、ある特定の検索から生成された報告書に基づいて実行されても良い。一実施例では、ＲＩＲトラッカインタフェース４２は、例えば、インターネット４３又はイントラネットを介してアクセス可能であるメインホームページであっても良いＲＩＲシステムメインディスプレイページを提供するように構成されている。ＲＩＲメインディスプレーページは、システム４０の様々に異なる動作及びプロセスの動作を開始させる選択可能メンバを含む。例えば、エントリログ選択可能メンバ、検索選択可能メンバ、報告書選択可能メンバ、報告書生成選択可能メンバ、発送情報選択可能メンバ、管理者選択可能メンバ及び出口選択可能メンバが提供されても良い。以下に更に詳細に説明するように、これらの選択可能メンバは、本発明のＲＩＲプロセスを実行するためにＲＩＲトラッカインタフェース４２を動作させる。
【００２０】
詳細には、図３に示すようなデータエントリ／編集ページ１２０により、特定の発送品に関する新たなＲＩＲログを入力し且つ／又は既存のログの編集及び／又は既存のログへの追加を実行することができる。エントリ(Entry)選択可能メンバ１２２は、ＲＩＲログエントリプロセスを開始するために提供されている。検索／報告書(Search/Reports)選択可能メンバ１２４は、ＲＩＲデータのエントリと、以前に入力されたＲＩＲデータの検索及び／又は報告とを切り替えるために設けられている。これらのメンバのうちのいずれか一方を選択するときには、例えば、ユーザはマウスポインタを使用してそれらの見出しをクリックすれば良い。更に、管理番号(Control No)フィールド１２６は、例えば、発送品管理番号により特定の発送品を選択するために設けられている。
【００２１】
特定の発送品を選択するときには、図４に示すようなデータエントリ／編集ページ１２０の発送品詳細(Shipment Details)セクション１３０で発送品情報のエントリが実行される。これは、例えば、発送品の記述、供給業者情報、荷渡しの場所と日付及びその発送品に関わる担当者などの発送品情報のエントリを含む。特定の発送品が既存の発送品である場合、いくつかの発送品データは提供されなくても良く（例えば、発送品データ不完全）、更新オプションが提供される。特に、例えば、不完全データを更新するためにプルダウン選択フィールド１３２が提供されても良い。図示されるように、ユーザは発送品の種類(Ship type)又は梱包業者(Packer)の識別情報を入力し、発送品データを更新するために更新選択多能メンバ１３４をクリックすれば良い。尚、例えば、手動操作による情報の入力を実行するためのユーザ入力フィールドなどの、不完全データを入力するための別のフィールドが設けられていても良いことに注意すべきである。
【００２２】
更に、ＲＩＲログ詳細(RIR Log Details)セクション１３６、ＲＩＲ欠陥(RIR Defects)セクション１３８及びＲＩＲ通信(RIR Correspondence)セクション１４０も設けられている。特に、ＲＩＲログ詳細セクション１３６は識別された発送品に関する特定の報告書にログされるデータに関連する情報を提供し、ユーザは、更に多くのログ詳細を追加することを含めて、データを編集するためにログ詳細編集メンバ１４２を選択しても良い。ＲＩＲ欠陥セクション１３８は、特定の発送品の欠陥を挙げた欠陥リスト１４６を含む。特に、欠陥コード、カテゴリ又はサブカテゴリ識別子及び欠陥の記述が提供されるのが好ましい。欠陥編集選択可能メンバ１４４は、更に別の欠陥を追加することを含めてＲＩＲ欠陥リスト１４６の編集を可能にするために設けられている。ＲＩＲ通信セクション１４０は、ＲＩＲ欠陥セクション１３８にリストアップされたＲＩＲ欠陥に関する書簡及びその他の通信文に関連する情報を含む。追加選択可能メンバ１４８は、書簡の日付、書簡番号、特定のアクション、並びに特定の発送品に関する特定の欠陥、損失又は懸念事項などの、ＲＩＲ通信文に関するコメントを含めた、更に多くのＲＩＲ通信に関する詳細を追加するために設けられている。
【００２３】
管理番号フィールド１２６で選択された発送品がＲＩＲログ詳細を有していない場合には、図５に示すような新ログ画面１６０が提供される。新ログ画面１６０はＲＩＲログ詳細(RIR Log Details)セクション１６２、ＲＩＲ欠陥セクション１６４及びＲＩＲ通信セクション１６６を含む。特に、ＲＩＲログ詳細セクション１６２では、ＲＩＲの日付、ＲＩＲ番号（すなわち、追跡番号）及び検査責任者番号を入力できる。日付は、情報が入力されている現在日付によって自動的に入力される。ＲＩＲ欠陥(RIR Defects)セクション１６４は、欠陥番号、欠陥カテゴリ及び欠陥記述を含めた、所定の起こりうる欠陥のリスト１６６を含む。選択可能ボックスを例にとって示されている選択メンバ１６８は、新たなＲＩＲログに適用されるあらゆる欠陥を選択するために設けられている。ユーザは、例えば、入力されるべきＲＩＲに関わる欠陥に適用される選択可能ボックス１６８をクリックすることにより、適切なＲＩＲ欠陥を選択する。ＲＩＲ通信(RIR Correspondence)セクション１６６は、入力されるべきＲＩＲが関連する書簡又はその他の報告書に関する情報を入力する部分であり、書簡の日付、書簡番号、アクション及びコメントを入力できる。適切なＲＩＲ詳細が入力された後、新ログ作成(Create New Log)選択可能メンバ１７０を使用して新たなログが作成される。その後、図４に示すようなエントリ／編集ページ１２０で更に多くの情報が入力されても良い。
【００２４】
更に、検索／報告書ページ１８０も提供され、このページでは、図４に示す検索／報告書選択可能メンバ１２４が選択されたときに、新たな検索及び／又は以前の検索から生成された報告書を使用する検索を含む検索が実行される。特に、図６に示すように、検索／報告書ページ１８０は、例えば、特定の検索を定義するためのプルダウンメニューとして構成されていても良い複数の検索フィールド１８４を有する検索基準セクション１８２を含む。それらの検索フィールド１８４は、ＲＩＲ記述、会社名、供給業者名、梱包業社名、発送品の種類、エントリの場所（ＰＯＥ）又は検査責任者を入力するためのフィールドを含む。更に、欠陥コード(Defect Codes)検索基準セクション１８６も設けられており、これは検索時に使用するための欠陥コードのリストを含む。１つ以上の欠陥コードが選択され、追加選択可能メンバ１９０をクリックすることにより、欠陥検索セクション１８８の検索リストの一部として提供されても良い。欠陥削除選択可能メンバ１９２を選択することにより欠陥検索基準を削除しても良いし、あるいは欠陥クリア選択可能メンバ１９４を使用して全ての欠陥をクリアしても良い。検索結果が表示されるフォーマットを（例えば、管理番号により）定義するために、分類フィールド１９６も設けられている。希望に応じて検索を報告書としてセーブするように名前を入力するために、報告書名フィールド１９８も設けられている。その後、「報告書選択」(Choose a Report)選択可能メンバ２００を選択することにより、図８に示すように報告書のリスト（すなわち、以前の検索）をアクセスし、検索／報告書ページ１８０を使用してそのリストを修正しても良い。検索選択可能メンバ２０２は、検索／報告書ページ１８０内で入力され、選択された検索基準に基づいて検索を開始するために設けられている。
【００２５】
その後、図７に示すように、検索報告書画面２２０が提供されるが、これは、入力され、選択された検索基準に基づく検索の結果を含む。例えば、パッケージ番号、管理番号、記述、責任を負う会社及び連絡場所を含めて、ＲＩＲに関し、検索基準を満たす情報が提供される。更に、ＲＩＲごとに、選択されたときに、特定のパッケージ番号に関する発送品及びＲＩＲの詳細を見るための表示にリンクする管理番号に対するリンクが提供される。また、要約報告書エクスポート(Export Condensed Report)選択可能メンバ２２２も設けられ、これが選択されると、ＲＩＲごとの最小限のデータを含む要約報告書が提供される。完全報告書エクスポート(Export Full Report)選択可能メンバ２２４も設けられており、これが選択されると、ＲＩＲごとの全てのデータフィールドを含む完全報告書が提供される。エクスポートされた検索報告書は、ローカルコンピュータ又はネットワークでセーブされるべきスプレッドシートファイルとしてのフォーマットを含めて、様々に異なるフォーマットで提供されれば良い。更に、生成された報告書は特定の個人及び／又はエンティティへ（例えば、Ｅメールを介して）送信されても良いことに注意すべきである。
【００２６】
図６に示す「報告書選択」選択可能メンバ２００が選択されたときに、報告書の著者及び報告書の日付を含めて、以前に生成された報告書を表示するために、図８に示すようなカスタムフィルタ／報告書ページ２４０も設けられている。図８に示すように、カスタムフィルタ／報告書ページ２４０はセーブされた報告書ごとにリンク２４２を含み、選択された報告書に関してリストアップされている選択された検索基準で検索／報告書ページ１８０を埋めるために選択されれば良い。更に、特定のカスタム報告書を削除するために、選択の際にセーブされていた報告書の各々について削除ボタン２４４が設けられている。
【００２７】
様々なＲＩＲ入力及び報告書ページを使用することを含めて、ＲＩＲ追跡及び報告プロセスを実行する本発明のＲＩＲシステム４０を使用することにより、あるプロジェクトに関するＲＩＲ欠陥の数を減少させると共に、将来起こりうるＲＩＲ欠陥を回避するための予防措置を示す勧告を行うことができるであろう。例えば、欠陥及び／又は損失の根本原因を判定するために特定の検索を実行できるであろう。そのような解析においては、現在に至るまでの全てのＲＩＲを、例えば、欠陥コードによりカテゴリに分類された欠陥によって評価して、解析で使用されるべきトレンドを検討できる。根本原因を判定することにより、予防措置の実現を実行し、それ以降の発送品を検討して、ＲＩＲ欠陥を更に減少させることができる。更に、本発明を使用することで、解析を容易にするために新たなＲＩＲ検査の形態が開発され、受け入れ可能なＲＩＲの百分率レベルを判定できるようになるであろう。
【００２８】
ＲＩＲシステム４０を使用することにより、特に、このシステムがウェブベースアクセスを実行できるように構成されている場合には、費用抑制と、情報交換を管理するための担当職員の追加が不要になることによって基本コストを低減できるであろう。オンラインＲＩＲ提出、追跡、報告及び解決の能力があるため、機器の損失を識別し、その後に修理するために使用されるＲＩＲを処理するときの費用は低減される。発送ごとに損失のない機器を送り出すことにより、クリティカルトゥクオリティ（ＣＴＱ）に適合するという目標はより容易に実現される。更に、収集され、格納された情報を将来のプロジェクト及び注文に向けて使用することもできるであろう。
【００２９】
従って、本発明のＲＩＲシステム４０は、オンライン（例えば、インターネット）追跡及び報告を使用して、大型プロジェクト（例えば、原子力発電所建設プロジェクト）に携わる関係者の間の調整を自動化する。システムは単一のチャネルで情報を提供するので、複数の発送品を効率良く調整でき、リアルタイムオンライン決定に基づいて更に効率良く計画立案及び管理を実行することが可能になる。これらのイベントを調整することにより、遅延は最小限に抑えられ、また、要求及び／又は認められた欠陥に対する対応は迅速に解析され、報告又は解決される。情報は保持され、学習される課題のため及び損失の根本原因を判定するために使用される。
【００３０】
本発明の説明は、その性質上、単なる例示であり、従って、本発明の趣旨から逸脱しない変形は本発明の範囲内にあることが意図されている。例えば、図３から図８に示すページは原子力発電所建設プロジェクトに関する本発明の一実施例のページを表現しているが、本発明は原子力発電所建設プロジェクトに適用される場合のそれらのページの特定の形態に限定されず、本発明の適用は原子力発電所建設プロジェクトに限定されない。特許請求の範囲に示される図中符号は本発明の範囲を狭めるのではなく、本発明の理解を容易にすることを意図して提示されている。
【図面の簡単な説明】
【００３１】
【図１】本発明を関連して実現できる発送及び受領検査報告（ＲＩＲ）プロセスの一例を示すフローチャート。
【図２】追跡及び解析のためにＲＩＲプロセスを実行するための本発明のシステムのブロック線図。
【図３】本発明のデータエントリ／編集ページの画面。
【図４】特定の発送に関してＲＩＲの詳細を示す図４のデータエントリ／編集ページの画面。
【図５】本発明の新ログページの画面。
【図６】本発明の検索／報告ページの画面。
【図７】本発明の検索結果ページの画面。
【図８】本発明のカスタムフィルタ／報告書ページの画面。
【符号の説明】
【００３２】
４０…ＲＩＲシステム、４１…イントラネット、４２…ＲＩＲトラッカインタフェース、４３…インターネット、４４…データベース、４５…コンピュータ、４６…ネットワークサーバ、４７…コンピュータ
【図１】
2004288154.tif 000003
【図２】
2004288154.tif 000004
【図３】
2004288154.tif 000005
【図４】
2004288154.tif 000006
【図５】
2004288154.tif 000007
【図６】
2004288154.tif 000008
【図７】
2004288154.tif 000009
【図８】
2004288154.tif 000010
【外国語明細書】
2004288154000001.pdf